(57)【特許請求の範囲】
【請求項１】
スピーカユニットを支持するエンクロージャと、
前記エンクロージャの内壁と前記スピーカユニットとの間に配置された中空管体形状のバスレフポートであって、前記バスレフポートにおける前記内壁側の側面は前記内壁に沿って直線的に延びており、前記バスレフポートにおける前記スピーカユニット側の側面は、前記スピーカユニットの外周面に沿って湾曲しているバスレフポートと
を具備することを特徴とするスピーカ装置であって、
前記エンクロージャは、前記スピーカユニットを支持するバッフル板または前記バッフル板と対向する板にバスレフポート用開口部が形成されている
スピーカ装置。
【請求項２】
前記エンクロージャは、前記バスレフポート用開口部に対して前記バスレフポート内の開口端を接続する接続空間部を具備する
請求項１に記載のスピーカ装置。
【請求項３】
前記バスレフポートは、中空断面形状が長手方向に変化しない主管部と、前記主管部の長手方向両側の少なくとも一方に設けられた空気整流器とを有し、
前記空気整流器における前記スピーカユニットの軸方向の寸法は、前記主管部の中心軸に沿った方向の位置によらず一定であり、
前記空気整流器における前記スピーカユニット側の側面は、前記主管部から離れるに従って前記主管部の中心軸から離れて前記スピーカユニット側に湾曲していることを特徴とする請求項１または２に記載のスピーカ装置。
【請求項４】
前記バスレフポートは、前記スピーカユニットを支持するバッフル板の裏側に固定され、前記スピーカユニットの振動部の外周に沿って湾曲していることを特徴とする請求項１〜３のいずれか１の請求項に記載のスピーカ装置。
【請求項５】
前記バスレフポートは、前記エンクロージャにおいて前記スピーカユニットを支持するバッフル板と対向する内壁に固定され、前記スピーカユニットのマグネットの外周に沿って湾曲していることを特徴とする請求項１〜３のいずれか１の請求項に記載のスピーカ装置。
【請求項６】
スピーカユニットを支持するエンクロージャと、
前記エンクロージャ内部において前記エンクロージャの第１の内壁と前記スピーカユニットとの間に配置された中空管体形状の第１のバスレフポートであって、前記第１のバスレフポートにおける前記第１の内壁側の側面は前記第１の内壁に沿って直線的に延びており、前記第１のバスレフポートにおける前記スピーカユニット側の側面は、前記スピーカユニットの外周面に沿って湾曲している第１のバスレフポートと、
前記エンクロージャ内部において前記第１の内壁と対向する第２の内壁と前記スピーカユニットとの間に配置された中空管体形状の第２のバスレフポートであって、前記第２のバスレフポートにおける前記第２の内壁側の側面は前記第２の内壁に沿って直線的に延びており、前記第２のバスレフポートにおける前記スピーカユニット側の側面は、前記スピーカユニットの外周面に沿って湾曲している第２のバスレフポートと
を具備することを特徴とするスピーカ装置であって、
前記エンクロージャは、前記スピーカユニットを支持するバッフル板または前記バッフル板と対向する板における前記第１および第２のバスレフポートの同じ側の各開口端の近傍に第１および第２のバスレフポート用開口部が形成されている
スピーカ装置。
【請求項７】
前記エンクロージャは、前記第１および第２のバスレフポート用開口部に対して、前記第１および第２のバスレフポート内の開口端を各々接続する第１および第２の接続空間部を具備する
請求項６に記載のスピーカ装置。
【請求項８】
前記エンクロージャは、前記スピーカユニットを支持するバッフル板または前記バッフル板と対向する板における前記第１および第２のバスレフポートの互いに反対側の各開口端の近傍に第１および第２のバスレフポート用開口部が形成され、前記第１および第２のバスレフポート用開口部に対して、前記第１および第２のバスレフポート内の開口端を各々接続する第１および第２の接続空間部を具備することを特徴とする請求項６に記載のスピーカ装置。
【請求項９】
前記エンクロージャは、前記スピーカユニットを支持するバッフル板または前記バッフル板と対向する板における前記第１および第２のバスレフポートの同じ側の各開口端の近傍に両バスレフポート兼用開口部が形成され、前記両バスレフポート兼用開口部に対して、前記第１および第２のバスレフポート内の開口端を各々接続する両バスレフポート兼用接続空間部を具備することを特徴とする請求項６に記載のスピーカ装置。
【請求項１０】
内部が第１および第２の空間と前記第１および第２の空間に挟まれ、かつ、開口した接続空間部に区切られ、前記第１の空間に第１のスピーカユニットを収容して支持し、前記第２の空間に第２のスピーカユニットを収容して支持するエンクロージャと、
前記第１の空間の第１の内壁と前記第１のスピーカユニットとの間に配置された中空管体形状の第１のバスレフポートであって、前記第１のバスレフポートにおける前記第１の内壁側の側面は前記第１の内壁に沿って直線的に延びており、前記第１のバスレフポートにおける前記第１のスピーカユニット側の側面は、前記第１のスピーカユニットの外周面に沿って湾曲し、一方の開口端が前記接続空間部に連通している第１のバスレフポートと、
前記第２の空間の第２の内壁と前記第２のスピーカユニットとの間に配置された中空管体形状の第２のバスレフポートであって、前記第２のバスレフポートにおける前記第２の内壁側の側面は前記第２の内壁に沿って直線的に延びており、前記第２のバスレフポートにおける前記第２のスピーカユニット側の側面は、前記第２のスピーカユニットの外周面に沿って湾曲し、一方の開口端が前記接続空間部に連通している第２のバスレフポートと
を具備することを特徴とするスピーカ装置。
【発明の詳細な説明】
【技術分野】
【０００１】
この発明は、バスレフ構造のスピーカ装置に関する。
【背景技術】
【０００２】
バスレフポートとは、スピーカユニットから前面に音圧が放出される際、エンクロージャ内部にユニット背面から放射された逆相の音圧を、エンクロージャ内部に閉じ込められた空気のバネとポート内部の空気の質量の共振（ヘルムホルツ共鳴）によって位相を反転させ、エンクロージャ外部に放出する管体である。
【０００３】
ここで、バスレフポートの共振周波数は、エンクロージャ内部に閉じ込められた空気のバネとポート内部の空気の質量によって一義的に決まる。しかし、バスレフポートの断面積を変えるとポートから見た空気のバネが変化する。何故ならば、エンクロージャ内壁には単位面積当たり一定の圧力が掛かるため、ポート内に開口する断面積が大きければ大きな圧力が開口に掛かるため、エンクロージャ内の空気はポートからは強い空気バネと見え、ポート内に開口する断面積が小さければエンクロージャ内の空気は弱い空気バネと見えることになるからである。
【０００４】
バスレフポートの共振周波数を一定にするためには、（ポート内部の空気の質量）／（エンクロージャ内部に閉じ込められた空気のバネ）を一定にする必要がある。このため、例えばバスレフポートの断面積が２倍となれば、バネが２倍の強さとなるため、共振周波数を同じにする場合には空気の質量を２倍としなければならない。そして、ポート長を２倍にすれば、バスレフポート内の空気の容積が２倍となるため、共振周波数が維持される。同様に断面積を小さくする場合には、ポート長を短くすることにより同一の共振周波数を維持することができる。このようにしてバスレフポートは共振周波数を維持しながら変形することが可能である。
【０００５】
ところで、バスレフポートでは、その内部において空気柱が振動するが、その出入り口付近においてバスレフポート外部の空気も一緒に振動する。通常用いられる真円のバスレフポートにおいては半径の６割程度の距離までの外部の空気がポート内の気柱と共に振動するとされている。例えて説明すると、バスレフポート内部の空気柱は、バスレフポートというシリンダにバスレフポートよりも少し長い空気のピストンがはまっているように振動し、このピストンの端面を振動板として外部に空気の粗密波（音波）が生ずるために音圧が発生するのである。ここで、空気のピストンの端面はポートの外側に有るためポート開口部にグリルやパンチングメタルなどの空気抵抗を持った障害物を設けると空気のピストンの動きを阻害し、バスレフポートの音響特性が低下する。
【０００６】
また、空気はバスレフポートに吸い込まれる時には全方向から吸引されるが、吐き出される時には一方向に直進する性質があるため、吐き出し時にはポート外部に突き出た気柱が外部の空気を巻き込んで渦輪の空気流を形成する。この渦輪は一旦形成されると空気抵抗が非常に小さくなる。このため、渦輪の空気流は、自然に拡散して消滅するまでに遠くまで達し、途中で障害物にぶつかって障害物を振動させ、あるいは乱流を生じさせて雑音を発生させる。
【０００７】
また、バスレフポートから発生する空気流は、エンクロージャ外部開口のみでなく内部開口でも発生するため、内部開口の延長線上にスピーカユニットを配置すると振動板を裏から空気流が叩くため大きな雑音が発生する。
【０００８】
また、バスレフポートのエンクロージャ内部の開口がエンクロージャ壁に近接すると、開口からの空気流がエンクロージャ壁を振動させ、あるいは乱流を生じさせることにより、エンクロージャ内部で雑音を発生させる。このエンクロージャ内部で発生した雑音の一部は、スピーカユニットの振動板を通じて外部に放出されるため再生音に濁りや歪みが生じる。
【０００９】
そこで、特許文献１は、一定の開口断面積を有する管状体である主管部と、この主管部の長手方向両側の空気整流器とを有するバスレフポートを提案している。ここで、空気整流器は、中空断面の一方向の長さが軸方向に沿って変化しない一定寸法で、かつ中空断面積が最も小さくなる箇所から一方の開口側に近くなるほど連続的に面積変化率が大きくなる形状を有している。
【００１０】
この特許文献１に記載のバスレフポートによれば、主管部で振動する空気柱のピストンの先端は空気整流器の中にあり、発生しようとする渦輪の空気流は、空気整流器中で拡散して消滅するため、空気整流器の開口部からは空気の粗密波（音波）だけが放出される。このバスレフポートでは、空気整流器の開口部にグリルやパンチングメタルを設置しても、雑音の発生やバスレフポートの音響特性の劣化が起きない。このため、エンクロージャ内部開口をスピーカユニット背面間近に配置することや、エンクロージャ内部開口をエンクロージャ壁に近接して配置することが可能である。
【先行技術文献】
【特許文献】
【００１１】
【特許文献１】特許第５４３５０８３号
【発明の概要】
【発明が解決しようとする課題】
【００１２】
さて、平坦な周波数電圧特性の駆動回路を用いて平坦な周波数音圧特性を得るための音響設計では、スピーカユニットの固有のパラメータに応じた必要十分な容積が存在し、この容積に満たない場合には平坦な周波数特性が得られなかった。しかし、近年、デジタル信号処理やソフトウエアでの処理により簡単に駆動周波数電圧特性を変えて所望の周波数音圧特性を得ることが可能となったため、エンクロージャは少しでも小型化することが望まれるようになってきている。このため、エンクロージャの奥行きは、スピーカユニットの背面がエンクロージャの内壁にかなり接近する所まで狭められることがある。
【００１３】
しかしながら、特許文献１に開示のバスレフポートは、多くの利点を有するものの、通常のバスレフポートの両端に空気整流器を持つ構造のため、同じ共振周波数の円筒ポートに比べて長さおよび幅が大きくなる。
【００１４】
ここで、エンクロージャの形状が細長く、スピーカユニットがエンクロージャの端に位置する構成のスピーカ装置の場合、特許文献１のバスレフポートの形状は、エンクロージャ内部へ収まりが良く、円筒ポートを使用する場合に比べて特にエンクロージャが大きくなることはない。しかし、スピーカユニットが取り付けられるバッフルの形状が正方形のエンクロージャなどの場合に、特許文献１に記載のバスレフポートは収まりが悪く空間の利用率が悪いため、エンクロージャが大型化し易かった。
【００１５】
この発明は以上のような事情に鑑みてなされたものであり、バスレフポートのエンクロージャへの収まりがよく、エンクロージャを小型化することが可能なスピーカ装置を提供することを目的としている。
【課題を解決するための手段】
【００１６】
この発明は、スピーカユニットを支持するエンクロージャと、前記エンクロージャ内部において前記スピーカユニットと前記エンクロージャの内壁との間に配置された中空管体形状のバスレフポートであって、前記バスレフポートにおける前記スピーカユニットの反対側の側面は前記内壁に沿って直線に延びており、前記バスレフポートにおける前記スピーカユニット側の側面は、前記スピーカユニットの外周面に沿って曲がった湾曲形状をなすバスレフポートとを具備することを特徴とするスピーカ装置を提供する。
【００１７】
このスピーカ装置によれば、エンクロージャの内壁とスピーカユニットの外周との隙間を満たすようにバスレフポートを収容することができるのでエンクロージャを小型化することができる。
【図面の簡単な説明】
【００１８】
【図１】この発明の第１実施形態であるスピーカ装置の構成を示す正面図である。
【図２】図１のＩ−Ｉ’線断面図である。
【図３】同スピーカ装置におけるバスレフポートの構成を示す斜視図である。
【図４】この発明の第２実施形態であるスピーカ装置の構成を示す正面図である。
【図５】図４のＩ−Ｉ’線断面図である。
【図６】この発明の第３実施形態であるスピーカ装置の構成を示す正面図である。
【図７】この発明の第４実施形態であるスピーカ装置の構成を示す正面図および断面図である。
【図８】この発明の第５実施形態であるスピーカ装置の構成を示す正面図および断面図である。
【図９】この発明の第６実施形態であるスピーカ装置の構成を示す正面図および断面図である。
【図１０】この発明の第７実施形態であるスピーカ装置の構成を示す正面図および断面図である。
【図１１】この発明の第８実施形態であるスピーカ装置の構成を示す正面図である。
【図１２】この発明の第９実施形態であるスピーカ装置の構成を示す正面図である。
【図１３】この発明の第１０実施形態であるスピーカ装置の構成を示す正面図である。
【図１４】この発明の第１１実施形態であるスピーカ装置の構成を示す組み立て図である。
【図１５】この発明の他の実施形態におけるスペーサの構成例を示す斜視図である。
【発明を実施するための形態】
【００１９】
以下、図面を参照しつつ本発明の実施の形態について説明する。
【００２０】
＜第１実施形態＞
図１は、この発明の第１実施形態であるスピーカ装置１＿１の構成を示す正面図である。また、図２は図１のＩ−Ｉ’線断面図である。また、図３は図１におけるバスレフポート１０の構成を示す斜視図である。
【００２１】
図１に示すように、本実施形態によるスピーカ装置１＿１は、エンクロージャ１１にスピーカユニットＳＰ、バスレフポート１０が設置され、バスレフポート用開口部１８が形成された構成となっている。
【００２２】
図１および図２に示すように、エンクロージャ１１は、互いに主面が平行な壁部１２および１３の対と、壁部１４および１５の対と、壁部１６および１７の対とを有し、直方体形状をなしている。以下では、便宜上、壁部１６および１７を結ぶ方向をＸ方向、壁部１４および１５を結ぶ方向をＹ方向、壁部１２および１３を結ぶ方向をＺ方向と称する。
【００２３】
壁部１２は、スピーカユニットＳＰが設置されるとともに、バスレフポート用開口部１８が形成されており、バッフル板として機能する。スピーカユニットＳＰは、図２に示すように、ダイヤフラム等からなる振動部ＳＰ＿Ｖと、振動部ＳＰ＿Ｖに対する駆動力を得るための磁界を発生するマグネットＳＰ＿Ｍを有する。ここで、スピーカユニットＳＰの振動部ＳＰ＿Ｖは、壁部１２の略中央に支持され、バスレフポート用開口部１８は、壁部１２の壁部１５付近に形成されている。エンクロージャ１１の内側の壁部１２および壁部１６の近傍には、バスレフポート１０が配置されている。図３に示すように、バスレフポート１０は、接続空間部１９を介してバスレフポート用開口部１８に接続されている。
【００２４】
図１〜図３に示すように、バスレフポート１０は、壁部１０Ａ、１０Ｂ、１０Ｃ、１０Ｄにより囲まれ、両端が開口した１本の中空の管体であり、中央の主管部１００と、この主管部１００の長手方向両側の空気整流器１０１および１０２に区分することができる。このバスレフポート１０の壁部１０Ａは、エンクロージャ１１内の壁部１２の内面に固定され、壁部１０Ｂはエンクロージャ１１内の壁部１６と平行であり、同壁部１６と隙間を挟んで対向している。
【００２５】
主管部１００は、Ｙ方向に垂直な断面形状が長方形であり、かつ、当該長方形のＸ方向の寸法（すなわち、壁部１０Ｂおよび１０Ｄ間の寸法）およびＺ方向の寸法（すなわち、壁部１０Ａおよび１０Ｃ間の寸法）がＹ方向の各位置において一定である。この主管部１００の長さおよび中空断面積は、スピーカ装置１＿１として増強したい低音の周波数に基づいて設定される。また、主管部１００は、スピーカユニットＳＰの有効面積よりも小さな一定の中空断面積を有する。
【００２６】
空気整流器１０１および１０２は、Ｙ方向に垂直な断面の形状が長方形である。空気整流器１０１および１０２の断面のＺ方向の寸法（すなわち、壁部１０Ａおよび１０Ｃ間の寸法）は、主管部１００の断面のＺ方向の寸法と同じであり、Ｙ方向の位置によらず一定である。空気整流器１０１および１０２の断面のＸ方向の寸法（すなわち、壁部１０Ｂおよび１０Ｄ間の寸法）は、主管部１００側から壁部１５側および壁部１４側に向かうに従って増加している。
【００２７】
さらに詳述すると、主管部１００、空気整流器１０１および１０２の壁部１６側の壁部１０Ｂは、Ｙ方向およびＺ方向に連続した平面であり、隙間を挟んで壁部１６と平行に対向している。一方、空気整流器１０１および１０２の壁部１６と反対側の壁部１０Ｄは、円筒状をなすスピーカユニットＳＰの振動部ＳＰ＿Ｖの外周面に沿って湾曲している。すなわち、振動部ＳＰ＿Ｖの外周面は、振動部ＳＰ＿ＶのＹ方向中央から壁部１５側および壁部１４側に向かうのに従って振動部ＳＰ＿ＶのＸ方向中央に向けて退行するが、これに応じて空気整流器１０１および１０２の壁部１０Ｄは振動部ＳＰ＿ＶのＸ方向中央に向けて張り出している。
【００２８】
このように空気整流器１０１および１０２は、主管部１００側から離れるに従って、Ｚ方向の中空断面の寸法を変化させることなく、徐々に中空断面積が大きくなる形状となっている。好ましい態様において、空気整流器１０１および１０２の壁部１０Ｄと壁部１０Ｂとの間の距離は、壁部１５側および壁部１４側に進むに従って指数関数に準じて変化する。
【００２９】
空気整流器１０２の壁部１４側の開口端は、隙間を挟んで壁部１４と対向している。空気整流器１０１は、図３に示すように、壁部１５側の開口端において中空の直方体形状の接続空間部１９と繋がっている。ここで、空気整流器１０１内の空間と接続空間部１９内の空間は連続した空間となっている。接続空間部１９における壁部１０Ａには、バスレフポート用開口部１８と対向する開口部１８’が形成されている。空気整流器１０１内の空間は、この接続空間部１９およびバスレフポート用開口部１８を介して、スピーカ装置１＿１の外部の空間と連通している。
以上がスピーカ装置１＿１の構成である。
【００３０】
このようなスピーカ装置１＿１によれば、スピーカユニットＳＰが振動することにより次の動作が生じる。まず、空気整流器１０２の壁部１４側開口端は、主管部１００と比較して中空断面積が大幅に大きい。このため、空気整流器１０２のスピーカユニットＳＰ側開口端では、吸気流速が非常に低くなり、当該開口端での乱流が殆ど発生しない。
【００３１】
また、空気整流器１０２の中空断面積は、空気の進行方向に沿って滑らかに小さくなるので、空気整流器１０２を通過中も乱流が発生しない。
【００３２】
さらに、空気整流器１０２と主管部１００との接続部では、断面中空形状が滑らかに変化している。これにより、主管部１００に至って空気の流速が増しても、空気整流器１０２から主管部１００への流入時の乱流も発生しない。このように、空気整流器１０２は、吸気時の乱流を大幅に抑制し、これに基づく雑音の発生を大幅に抑制することができる。
【００３３】
主管部１００は、スピーカユニットＳＰの有効面積よりも小さな一定の中空断面積を有する。主管部１００は、空気整流器１０２から流入された空気を所定の流速で流し、空気整流器１０１へ出力する。この際、主管部１００が長手方向に一定の中空断面形状を有しているので主管部１００内では乱流が発生しない。これにより、主管部１００は、乱流を発生することなく、所望の周波数でのヘルムホルツ共振を励起することができる。
【００３４】
主管部１００と空気整流器１０１との接続部では、中空断面形状が滑らかに変化する。
これにより、主管部１００から空気整流器１０１へ流入される空気は、空気整流器１０１の内壁に沿って流入する。
【００３５】
空気整流器１０１は、中空断面積が空気の進行方向に沿って指数関数値に準じて滑らかに大きくなる。しかしながら、壁部１０Ａと壁部１０Ｃとの間隔が一定であるので、空気整流器１０１内では、壁部１０Ａおよび壁部１０Ｃ方向へ拡散しようとする空気に対して、壁部１０Ａおよび壁部１０Ｃから圧力が加わり続ける。このため、空気は、互いの距離が徐々に離間する壁部１０Ｂと壁部１０Ｄとの方向へ広がり、壁部１０Ｂ、壁部１０Ｄからも圧力を受け続ける。すなわち、空気整流器１０１内を流れる空気は、常に壁部１０Ａ〜１０Ｄの影響を受け続け、中空断面全体に拡がりながら流れる。
【００３６】
このように、中空断面全体に拡がりながら流れる空気に対して、空気整流器１０１では、徐々にその断面積が大きくなるので、流速は徐々に低下する。そして、空気整流器１０１の接続空間部１９側の開口端に達すると、当該開口端の断面積がスピーカユニットＳＰに相当する大きさまで達するので、流速は十分に低下する。すなわち、空気整流器１０１からの排気の流速が主管部１００と比較して大幅に低くなる。
【００３７】
このように流速の低下した空気は、接続空間部１９を介してバスレフポート用開口部１８から外部へ排気される。したがって、バスレフポート用開口部１８からは、バスレフポートにより増幅された低音成分が放音される。この際、バスレフポート１０（空気整流器１０１）からの排気流速が低いので、接続空間部１９により放音方向が９０°曲げられても、バスレフポート１０から排気された空気が接続空間部１９を緩やかに流れ、接続空間部１９の壁部に高速で衝突して雑音を発生することがない。
【００３８】
なお、バスレフポートは両開口面から吸排気を交互に行うことで動作するものであり、バスレフポート用開口部１８から接続空間部１９を介して空気整流器１０１から吸気が行われ、空気整流器１０２から排気が行われるという動作も存在する。この場合、上述の空気整流器１０２の吸気動作を空気整流器１０１が行い、上述の空気整流器１０１の排気動作を空気整流器１０２が行う。
【００３９】
ここで、空気整流器１０１と空気整流器１０２とは同じ構造であるので、バスレフポート用開口部１８から吸気する場合であっても、上述のように吸気時の乱流発生を抑制するとともに、排気流速を低減させることができる。そして、この場合、排気された空気はスピーカユニットＳＰ方向へ進行するが、排気流速が遅いので、当該排気によりスピーカユニットＳＰの振動板が振動する等の原因で発生する可能性のある雑音を抑制することができる。
【００４０】
以上のように、本実施形態によるスピーカ装置１＿１は、エンクロージャ１１の壁部１６とスピーカユニットＳＰの外周との隙間を満たす形状のバスレフポート１０を同隙間に配置してなるものであるので、当該バスレフポート１０を収容するエンクロージャ１１を小型化することができるという効果がある。また、本実施形態によれば、バスレフポート１０において主管部１００の両側に空気整流器１０１および１０２を設けたので、バスレフポート１０に起因する雑音の発生を抑制するスピーカ装置１＿１を簡単な構造で実現することができる。
【００４１】
また、本実施形態によれば、空気整流器１０１と接続空間部１９とを介して主管部１００とバスレフポート用開口部１８とを接続したので、主管部１００の中心軸と異なる方向（図３の例では９０°異なる方向）に開口したバスレフポート用開口部１８を設けることができる。以下、この効果について説明する。
【００４２】
まず、通常の円筒バスレフポートでは、ポート直径の３倍以上の半径で曲げないとバスレフポートの特性に影響を与えるので、バスレフポートを急激に曲げることができない。ここで、スピーカユニットの動作軸と同じ方向にバスレフポートの軸を配置し、スピーカユニットとバスレフポートの放音方向を揃えようとすると、バスレフポートを小さな奥行きのエンクロージャに収めるため、ポート長を短くせざるを得ない。しかし、バスレフポートのポート長を短くして共振周波数を低く設定するためには、バスレフポートの径を細くせざるを得ない。しかし、バスレフポートの径を細くすると、バスレフポート内の空気流速が増加し、気流抵抗が増加してバスレフポートの音響特性が劣化する問題、空気流の噴出が顕著となって放音方向に居る視聴者が風を感じる問題、空気流がスピーカユニットの保護のために設けたグリル等に当たってノイズが発生する問題が発生する。
【００４３】
しかしながら、本実施形態によれば、空気整流器１０１と接続空間部１９とを介して主管部１００とバスレフポート用開口部１８とを接続したので、主管部１００の中心軸に対して９０°の角度をなす方向に開口するバスレフポート用開口部１８を設けても、バスレフポート１０の効率の低下やノイズの発生がない。
【００４４】
従って、本実施形態のようにスピーカユニットＳＰの放音軸と垂直な面方向にバスレフポート１０の軸を配置した場合においても、バスレフポート１０からの音をバスレフポート用開口部１８に設けた接続空間部１９で急激に方向を変え、バッフル面から放音することで、バスレフポート１０のポート長を長くするように配置することが可能となり、結果として主管部１００の径を太くすることができるため、主管部１００内の空気流速の増加や空気抵抗を低く抑えることが可能である。
【００４５】
＜第２実施形態＞
ごく一般なスピーカユニットはフェライトマグネットを用いたダイナミック形であり、円形または楕円形や長円の振動板を備え、振動板の後方にドーナツ状のフェライトマグネットが搭載されている。マグネットの容積と諸性能はほぼ比例するため、オーディオ用途のスピーカユニットの場合には大きなマグネットが使用される傾向にある。特に大きな駆動力が必要とされる低音再生用のウーハの場合、振動板の口径と同程度の直径のマグネットが使われることさえある。
【００４６】
以下、このような大口径のマグネットを有するスピーカユニットを備えたスピーカ装置への本発明の適用例を説明する。
【００４７】
図４は、この発明の第２実施形態であるスピーカ装置１＿２の構成を示す正面図である。また、図５は図４のＩ−Ｉ’線断面図である。なお、これらの図において、上記第１実施形態（図１〜図３）において示された部分と対応する部分には共通の符号を使用し、その説明を省略する。
【００４８】
本実施形態において、バスレフポート１０の壁部１０Ｃが、エンクロージャ１１におけるスピーカユニットＳＰの背後の壁部１３に固定されている。また、上記第１実施形態と同様、バスレフポート１０の壁部１０Ｂは、エンクロージャ１１の壁部１６の近傍に位置している。そして、バスレフポート１０の壁部１０Ｄは、円筒状をなすスピーカユニットＳＰのマグネットＳＰ＿Ｍの外周に沿って湾曲している。上記第１実施形態と同様、バスレフポート用開口部１８は、エンクロージャ１１の壁部１２の壁部１５寄りの位置に形成されている。バスレフポート１０の壁部１５側の開口端は、上記第１実施形態のものと同様な接続空間部１９を介してバスレフポート用開口部１８に接続されている。
【００４９】
本実施形態においても上記第１実施形態と同様な効果が得られる。上記第１実施形態と本実施形態のいずれを採用するかは、スピーカユニットＳＰの振動部ＳＰ＿ＶおよびマグネットＳＰ＿Ｍの各々とエンクロージャ１１の壁部１６との間の空間の形状および広さに基づいて選択すればよい。
【００５０】
＜第３実施形態＞
図６は、この発明の第３実施形態であるスピーカ装置１＿３の構成を示す正面図である。なお、この図において、上記第１実施形態（図１〜図３）において示された部分と対応する部分には共通の符号を使用し、その説明を省略する。
【００５１】
本実施形態において、バスレフポート１０＿１は、上記第１実施形態のバスレフポート１０と同様な形状を有しているが、開口断面積はバスレフポート１０の半分である。そして、バスレフポート１０＿２は、スピーカユニットＳＰの中心を通過する平面を基準としてバスレフポート１０＿１を鏡像反転した構成を有している。
【００５２】
バスレフポート１０＿１および１０＿２は、上記第１実施形態のバスレフポート１０と同様な壁部１０Ａ、１０Ｂ、１０Ｃおよび１０Ｄ（ただし、図６では、壁部１０Ｃの図示が省略されている。）により囲まれている。
【００５３】
バスレフポート１０＿１の壁部１０Ａは、エンクロージャ１１内の壁部１２の内面に固定されている。また、バスレフポート１０＿１の壁部１０Ｂは、エンクロージャ１１内の壁部１６の内面近傍に位置している。そして、バスレフポート１０＿１の壁部１０Ｄは、円筒状をなすスピーカユニットＳＰの振動部ＳＰ＿Ｖの外周に沿って湾曲している。
【００５４】
一方、バスレフポート１０＿２の壁部１０Ａは、エンクロージャ１１内の壁部１２の内面に固定されている。また、バスレフポート１０＿２の壁部１０Ｂは、エンクロージャ１１内の壁部１７の内面近傍に位置している。そして、バスレフポート１０＿２の壁部１０Ｄは、円筒状をなすスピーカユニットＳＰの振動部ＳＰ＿Ｖの外周に沿って湾曲している。
【００５５】
また、エンクロージャ１１の壁部１２の壁部１５寄りの位置には、バスレフポート用開口部１８＿１および１８＿２が形成されている。これらのバスレフポート用開口部１８＿１および１８＿２は、各々上記第１実施形態のものと同様な２つの接続空間部１９＿１および１９＿２を介してバスレフポート１０＿１および１０＿２の壁部１５側の各開口端に各々接続されている。
【００５６】
本実施形態では、２本のバスレフポート１０＿１および１０＿２が上記第１実施形態の１本のバスレフポート１０としての効果を発生する。従って、本実施形態においても上記第１実施形態と同様な効果が得られる。また、本実施形態の２本のバスレフポート１０＿１および１０＿２は、開口断面積が上記第１実施形態のバスレフポート１０の半分であり、その分、設置するためのスペースが少なくて済む。従って、本実施形態によれば、上記第１実施形態よりもさらにエンクロージャ１１を小型化することができるという効果が得られる。
【００５７】
＜第４実施形態＞
図７（ａ）は、この発明の第４実施形態であるスピーカ装置１＿４の構成を示す正面図、図７（ｂ）は図７（ａ）のＩａ−Ｉａ’線断面図である。なお、これらの図において、上記第３実施形態（図６）において示された部分と対応する部分には共通の符号を使用し、その説明を省略する。
【００５８】
本実施形態および後述する第５〜第７実施形態による各スピーカ装置は、２個のバスレフポートと、これらのバスレフポートの共用の接続空間部およびバスレフポート用開口部を有する。
【００５９】
オーディオ用のスピーカ装置の場合、音質の観点からバスレフポートを視聴者側に向けて開口する場合と反対側に向ける場合がある。本実施形態および後述する第６実施形態は、バスレフポートを視聴者に向けて開口する形態であり、後述する第５および第７実施形態は反対側に向けて開口する形態である。
【００６０】
図７（ａ）および（ｂ）において、バスレフポート１０＿１ａは、上記第３実施形態のバスレフポート１０＿１に相当するものである。このバスレフポート１０＿１ａでは、エンクロージャ１１の壁部１２が上記第３実施形態のバスレフポート１０＿１の壁部１０Ａに相当する壁部を兼ねている。他の点は、上記第３実施形態のバスレフポート１０＿１と同様である。バスレフポート１０＿２ａは、スピーカユニットＳＰの中心を通過する平面を基準としてバスレフポート１０＿１ａを鏡像反転した構成を有している。
【００６１】
上記第３実施形態のバスレフポート１０＿１および１０＿２と同様、バスレフポート１０＿１ａの壁部１０Ｂは、エンクロージャ１１内の壁部１６に平行であり、同壁部１６と隙間を挟んで対向し、バスレフポート１０＿２ａの壁部１０Ｂは、エンクロージャ１１内の壁部１７と平行であり、同壁部１７と隙間を挟んで対向している。そして、バスレフポート１０＿１ａの壁部１０Ｄは、円筒状をなすスピーカユニットＳＰの振動部ＳＰ＿Ｖの外周に沿って湾曲し、バスレフポート１０＿１ｂの壁部１０Ｄも、同振動部ＳＰ＿Ｖの外周に沿って湾曲している。
【００６２】
エンクロージャ１１の壁部１２の壁部１５寄りの位置には、壁部１２のＸ方向のほぼ全長に亙る両バスレフポート兼用開口部１８ａが形成されている。この両バスレフポート兼用開口部１８ａは、Ｘ方向の幅がこの両バスレフポート兼用開口部１８ａと同程度である直方体形状の両バスレフポート兼用接続空間部１９ａを介してバスレフポート１０＿１ａおよび１０＿２ａの壁部１５側の各開口端に各々接続されている。
【００６３】
本実施形態においても、上記第３実施形態と同様な効果が得られる。
【００６４】
＜第５実施形態＞
図８（ａ）は、この発明の第５実施形態であるスピーカ装置１＿５の構成を示す正面図、図８（ｂ）は図８（ａ）のＩａ−Ｉａ’線断面図である。なお、これらの図において、上記第４実施形態（図７）において示された部分と対応する部分には共通の符号を使用し、その説明を省略する。
【００６５】
図８（ａ）および（ｂ）において、バスレフポート１０＿１ａおよび１０＿２ａは、上記第４実施形態のバスレフポート１０＿１ａおよび１０＿２ａと同様である。
【００６６】
本実施形態では、エンクロージャ１１の壁部１３の壁部１５寄りの位置に、壁部１３のＸ方向のほぼ全長に亙る両バスレフポート兼用開口部１８ｂが形成されている。この両バスレフポート兼用開口部１８ｂは、Ｘ方向の幅がこの両バスレフポート兼用開口部１８ｂと同程度である直方体形状の両バスレフポート兼用接続空間部１９ｂを介してバスレフポート１０＿１ａおよび１０＿２ａの壁部１５側の各開口端に各々接続されている。
【００６７】
本実施形態においても、上記第３実施形態と同様な効果が得られる。また、本実施形態では、バッフル板の反対側の壁部から後方に向けてバスレフポート１０＿１ａおよび１０＿２ａからの音を放音することができる。
【００６８】
＜第６実施形態＞
図９（ａ）は、この発明の第６実施形態であるスピーカ装置１＿６の構成を示す正面図、図９（ｂ）は図９（ａ）のＩａ−Ｉａ’線断面図である。なお、これらの図において、上記第４実施形態（図７）において示された部分と対応する部分には共通の符号を使用し、その説明を省略する。
【００６９】
図９（ａ）および（ｂ）において、バスレフポート１０＿１ｃは、上記第３実施形態のバスレフポート１０＿１に相当するものである。このバスレフポート１０＿１ｃでは、エンクロージャ１１の壁部１３が上記第３実施形態のバスレフポート１０＿１の壁部１０Ｃに相当する壁部を兼ねている。他の点は、上記第３実施形態のバスレフポート１０＿１と同様である。バスレフポート１０＿２ｃは、スピーカユニットＳＰの中心を通過する平面を基準としてバスレフポート１０＿１ｃを鏡像反転した構成を有している。
【００７０】
バスレフポート１０＿１ｃの壁部１０Ｂは、エンクロージャ１１内の壁部１６の内面近傍に位置し、バスレフポート１０＿２ｃの壁部１０Ｂは、エンクロージャ１１内の壁部１７の内面近傍に位置している。そして、バスレフポート１０＿１ｃの壁部１０Ｄは、円筒状をなすスピーカユニットＳＰのマグネットＳＰ＿Ｍの外周に沿って湾曲し、バスレフポート１０＿２ｃの壁部１０Ｄも、同マグネットＳＰ＿Ｍの外周に沿って湾曲している。
【００７１】
上記第４実施形態（図７）と同様、エンクロージャ１１の壁部１２の壁部１５寄りの位置には、壁部１２のＸ方向のほぼ全長に亙る両バスレフポート兼用開口部１８ａが形成されている。この両バスレフポート兼用開口部１８ａは、Ｘ方向の幅がこの両バスレフポート兼用開口部１８ａと同程度である直方体形状の両バスレフポート兼用接続空間部１９ｃを介してバスレフポート１０＿１ｃおよび１０＿２ｃの壁部１５側の各開口端に各々接続されている。
【００７２】
本実施形態においても上記第３実施形態と同様な効果が得られる。
【００７３】
＜第７実施形態＞
図１０（ａ）は、この発明の第７実施形態であるスピーカ装置１＿７の構成を示す正面図、図１０（ｂ）は図１０（ａ）のＩａ−Ｉａ’線断面図である。なお、これらの図において、上記第６実施形態（図９）において示された部分と対応する部分には共通の符号を使用し、その説明を省略する。
【００７４】
上記第６実施形態では、エンクロージャ１１の壁部１２の壁部１５寄りの位置に、壁部１２のＸ方向のほぼ全長に亙る両バスレフポート兼用開口部１８ａが形成されていた。
【００７５】
これに対し、本実施形態では、この両バスレフポート兼用開口部１８ａが形成されておらず、エンクロージャ１１の壁部１３の壁部１５寄りの位置に、壁部１３のＸ方向のほぼ全長に亙る両バスレフポート兼用開口部１８ｂが形成されている。この両バスレフポート兼用開口部１８ｂは、Ｘ方向の幅がこの両バスレフポート兼用開口部１８ｂと同程度である直方体形状の両バスレフポート兼用接続空間部１９ｄを介してバスレフポート１０＿１ｃおよび１０＿２ｃの壁部１５側の各開口端に各々接続されている。他の点は上記第６実施形態と同様である。
【００７６】
本実施形態においても、上記第３実施形態と同様な効果が得られる。また、本実施形態では、バッフル板の反対側の壁部から後方に向けてバルレフポート１０＿１ｃおよび１０＿２ｃからの音を放音することができる。
【００７７】
＜第８実施形態＞
図１１は、この発明の第８実施形態であるスピーカ装置１＿８の構成を示す正面図である。なお、これらの図において、上記第３実施形態（図６）において示された部分と対応する部分には共通の符号を使用し、その説明を省略する。
【００７８】
上記第３実施形態（図６）では、バスレフポート用開口部１８＿１および１８＿２が、エンクロージャ１１のバッフル板においてバスレフポート１０＿１および１０＿２の同じ側の各開口端の近傍の各位置に形成されていた。
【００７９】
これに対し、本実施形態では、図１１に示すように、エンクロージャ１１のバッフル板においてバスレフポート１０＿１および１０＿２の互いに反対側の各開口端の近傍の各位置にバスレフポート用開口部１８＿１および１８＿２が形成されている。そして、接続空間部１９＿１および１９＿２は、バスレフポート１０＿１および１０＿２の互いに反対側の各開口端の近傍の空間をバスレフポート用開口部１８＿１および１８＿２に各々接続する。
【００８０】
本実施形態においても上記第３実施形態と同様な効果が得られる。
【００８１】
＜第９実施形態＞
図１２は、この発明の第９実施形態であるスピーカ装置１＿９の構成を示す正面図である。なお、これらの図において、上記第１実施形態（図１〜図３）において示された部分と対応する部分には共通の符号を使用し、その説明を省略する。
【００８２】
本実施形態において、エンクロージャ１１の内部は、第１の空間１１Ａと、第２の空間１１Ｂと、第１の空間１１Ａおよび第２の空間１１Ｂに挟まれ、かつ、バスレフポート用開口部１８を有する接続空間部１１Ｃに区切られている。ここで、接続空間部１１Ｃのバスレフポート用開口部１８はエンクロージャ１１のバッフル板に形成されている。
【００８３】
エンクロージャ１１は、第１の空間１１Ａ内にスピーカユニットＳＰ＿Ａを収容して支持する。また、エンクロージャ１１は、第２の空間１１Ａ内にスピーカユニットＳＰ＿Ｂを収容して支持する。
【００８４】
バスレフポート１０＿１および１０＿２は、上記第１実施形態のバスレフポート１０と同様な構成を有する。そして、バスレフポート１０＿１は、第１の空間１１Ａの内壁１１Ａ１とスピーカユニットＳＰ＿Ａとの間に配置された中空管体形状のバスレフポートである。このバスレフポート１０＿１の壁部１０Ｂは、第１の空間１１Ａ内の内壁１１Ａ１に平行であり、かつ、同内壁１１Ａ１と隙間を挟んで対向している。また、バスレフポート１０＿１の壁部１１Ｄは、スピーカユニットＳＰ＿Ａの外周面に沿って湾曲している。そして、バスレフポート１０＿１は、一方の開口端が接続空間部１１Ｃに連通している。
【００８５】
また、バスレフポート１０＿２は、第２の空間１１Ｂの内壁１１Ｂ２とスピーカユニットＳＰ＿Ｂとの間に配置された中空管体形状のバスレフポートである。このバスレフポート１０＿２の壁部１０Ｂは内壁１１Ｂ２と平行に直線的に延びている。ここで、内壁１１Ｂ２は、エンクロージャ１１において内壁１１Ａ１と反対側の内壁である。また、バスレフポート１０＿２の壁部１０Ｄは、スピーカユニットＳＰ＿Ｂの外周面に沿って湾曲している。そして、バスレフポート１０＿２は、一方の開口端が接続空間部１１Ｃに連通している。
【００８６】
以下、本実施形態の効果を説明する。一般にスピーカ装置の発生可能な音量は、スピーカユニットの有効振動板面積×ストローク量に比例する。ここで、ストローク量を増やすことは歪みの増加を招きやすい。そこで、音質を維持して音量を増加させる場合には、スピーカユニットの振動板面積を増加させることが有効である。この際、スピーカユニットの口径を増加させれば振動板面積は増加するが、スピーカ装置の特性を維持したままスピーカユニットの口径を増加させるにはエンクロージャの容積を振動板の半径の４乗に比例させて増加させる必要があることが知られている。すなわち、半径を１．４倍にすれば振動板面積は２倍になるが、エンクロージャの容積は４倍が必要となる。しかし、スピーカユニットの振動板面積を２倍にする代わりに、同じスピーカユニットの使用個数を２個にする場合には、エンクロージャの容積は２倍にすれば済む。このため、エンクロージャの総容積を大きくすることが困難であり、かつ、音量を大きくすることが必要な場合、スピーカユニットの本数を増やすことが一般に行われる。
【００８７】
ここで、２本のスピーカユニットを背面容積を共通とする１つのエンクロージャに取り付け、複数のバスレフポートがエンクロージャに取り付けられたスピーカ装置の場合、バスレフポートが何本であってもそのバスレフ共振周波数は全てのバスレフポート内部の空気の質量の総和とエンクロージャ内部の空気バネ定数で決まる１つの周波数となる。
【００８８】
しかしながら、２本のユニットの最低共振周波数が違っていると、ユニットの最低共振周波数では機械的に振動板が動きやすくなるため、駆動電圧に対して振動板の振幅が増えるのみでなく、エンクロージャ内部の圧力変化に対しても振動板の振幅が増える。このため、一方のスピーカユニットが正面に発した音波と逆相の音波をエンクロージャ内部に発すると、他方のスピーカユニットの振動板の振幅がこの逆相の音波の影響を受け、この逆相の音波を当該スピーカユニットの正面に発する。この音波により一方のスピーカユニットが正面に発した音波が打ち消され、スピーカ装置の周波数特性に凹みを生じる。このため、特に接着剤の塗布量やエッジの硬さのばらつきなどの機械的誤差要因の影響が出やすい小口径のスピーカユニットを用いた小型スピーカ装置では周波数特性に暴れを生じやすくなる。
【００８９】
これに対し、本実施形態では、エンクロージャ１１内部がスピーカユニットＳＰ＿Ａを収容する第１の空間１１ＡとスピーカユニットＳＰ＿Ｂを収容する第２の空間１１Ｂに区切られているので、スピーカユニットＳＰ＿ＡおよびＳＰ＿Ｂの相互の影響をなくしている。従って、スピーカ装置１＿９全体として最低共振周波数が異なるスピーカユニットＳＰ＿ＡおよびＳＰ＿Ｂを用いた際の個体差に起因する周波数特性の暴れを抑えることができる。
【００９０】
また、本実施形態では、エンクロージャ１１の第１の空間１１Ａに設置されたバスレフポート１０＿１からの音と第２の空間１１Ｂに設置されたバスレフポート１０＿２からの音を中央の接続空間部１１Ｃに集め、エンクロージャ１１のバッフル板に形成されたバスレフポート用開口部１８から放音する。従って、本実施形態によれば、各バスレフポート１０＿１および１０＿２からの音をスピーカユニットＳＰ＿ＡおよびＳＰ＿Ｂの放音方向に放音することが可能である。
【００９１】
＜第１０実施形態＞
図１３は、この発明の第１０実施形態であるスピーカ装置１＿１０の構成を示す正面図である。なお、この図において、上記第９実施形態（図１２）において示された部分と対応する部分には共通の符号を使用し、その説明を省略する。
【００９２】
本実施形態によるスピーカ装置１＿１０は、上記第９実施形態によるスピーカ装置１＿９に対し、バスレフポート１０＿３および１０＿４を追加した構成となっている。このバスレフポート１０＿３および１０＿４は、バスレフポート１０＿１および１０＿２と同様な構成を有する。
【００９３】
バスレフポート１０＿３は、第１の空間１１Ａの内壁１１Ａ２とスピーカユニットＳＰ＿Ａとの間に配置されている。ここで、内壁１１Ａ２は、エンクロージャ１１において内壁１１Ａ１の反対側の内壁である。このバスレフポート１０＿３の壁部１０Ｂは、内壁１１Ａ２に平行である。また、バスレフポート１０＿３の壁部１０Ｄは、スピーカユニットＳＰ＿Ａの外周面に沿って湾曲している。そして、バスレフポート１０＿３は、一方の開口端が接続空間部１１Ｃに連通している。
【００９４】
また、バスレフポート１０＿４は、第２の空間１１Ｂの内壁１１Ｂ１とスピーカユニットＳＰ＿Ｂとの間に配置されている。このバスレフポート１０＿４の壁部１０Ｂは、内壁１１Ｂ１に平行である。ここで、内壁１１Ｂ１は、エンクロージャ１１において内壁１１Ｂ２と反対側の内壁である。また、バスレフポート１０＿４の壁部１０Ｄは、スピーカユニットＳＰ＿Ｂの外周面に沿って湾曲している。そして、バスレフポート１０＿４は、一方の開口端が接続空間部１１Ｃに連通している。
【００９５】
本実施形態では、第１の空間１１Ａ内のバスレフポート１０＿１と第２の空間１１Ｂ内のバスレフポート１０＿４が接続空間部１１Ｃを挟んで対向し、第１の空間１１Ａ内のバスレフポート１０＿３と第２の空間１１Ｂ内のバスレフポート１０＿２が接続空間部１１Ｃを挟んで対向する。しかしながら、上記第１実施形態において説明したように、バスレフポート１０＿１〜１０＿４は、各々と接続空間部１１Ｃとの間に空気整流器を有している。この空気整流器の作用により、バスレフポート１０＿１〜１０＿４の開口端では、噴流が生じないため、バスレフポート１０＿１〜１０＿４を対向させてもノイズを発生せず高品位な低音再生が可能である。
【００９６】
＜第１１実施形態＞
図１４はこの発明の第１１実施形態によるスピーカ装置１＿１１の製造過程を示す組立図である。このスピーカ装置１＿１１は、例えば上記第１０実施形態のスピーカ装置１＿１０（図１３参照）の接続空間部１１Ｃの左側の部分に相当する装置である。このスピーカ装置１＿１１を２個製造し、接続空間部１１Ｃを間に挟んで接続すると、上記第１０実施形態のスピーカ装置１＿１０が完成する。
【００９７】
本実施形態によるスピーカ装置１＿１１は、箱部３１、スペーサ３２、ポート天板３３およびバッフル板３４と、振動部ＳＰ＿ＶおよびマグネットＳＰ＿ＭからなるスピーカユニットＳＰにより構成される。
【００９８】
箱部３１は、長方形状の底板３１Ｂと、この底板３１Ｂの各辺から底板３１Ｂに対して垂直に起立した側板３１Ｎ、３１Ｗ、３１Ｓおよび３１Ｅにより構成されている。ここで、１枚の側板３１Ｅの底板３１Ｂ寄りの位置には長方形形状の開口３１５および３１６が形成されている。この開口３１５および３１６は、箱部３１内の空間を前掲図１３の接続空間部１１Ｃに連通させるためのものである。
【００９９】
この箱部３１の底板３１Ｂの略中央にスペーサ３２が固定される。このスペーサ３２には、スピーカユニットＳＰのマグネットＳＰ＿Ｍを収容するための開口３２ａが形成されている。この開口３２ａの口径は、マグネットＳＰ＿Ｍの外形より大きく設定される。開口３２ａとマグネットＳＰ＿Ｍの隙間は、エンクロージャの内容積として働くので、スピーカシステムの性能のためには隙間は可能な限り大きいことが望ましい。また、このスペーサ３２を囲う側面部は、互いに平行な平面部３２Ｎおよび３２Ｓと、これらと直交し、かつ、互いに平行な平面部３２Ｗおよび３２Ｅと、平面部３２Ｎおよび３２Ｗ間を滑らかに接続する曲面部３２ＮＷと、平面部３２Ｗおよび３２Ｓ間を滑らかに接続する曲面部３２ＳＷと、平面部３２Ｓおよび３２Ｅ間を滑らかに接続する曲面部３２ＳＥと、平面部３２Ｅおよび３２Ｎ間を滑らかに接続する曲面部３２ＮＥとからなる。ここで、曲面部３２ＮＷ、３２ＳＷ、３２ＳＥおよび３２ＮＥは、外側に膨らんだ曲面形状をなしている。好ましい態様において、曲面部３２ＮＷおよび３２ＮＥは、平面部３２Ｎの延長方向に沿って平面部３２Ｎから離れるに従い、平面部３２Ｎの延長面からの距離が指数関数に準じて変化する。同様に、曲面部３２ＳＷおよび３２ＳＥは、平面部３２Ｓの延長方向に沿って平面部３２Ｓから離れるに従い、平面部３２Ｓの延長面からの距離が指数関数に準じて変化する。
【０１００】
ポート天板３３は、箱部３１の側板３１Ｎ、３１Ｗ、３１Ｓおよび３１Ｅ内の空間に丁度収まる大きさの長方形の板であり、スペーサ３２の上に配置される。このポート天板３３は、スピーカユニットＳＰのマグネットＳＰ＿Ｍを収容するための開口３３ａが形成されている。スペーサ３２は、底板３１Ｂに固定される際に、その開口３２ａがポート天板３３の開口３３ａと同じ位置になるように位置決めされる。
【０１０１】
ポート天板３３がスペーサ３２の上に固定されると、２つのバスレフポートが構成される。１つは、ポート天板３３と箱部３１の底板３１Ｂとにより上下方向から挟まれ、かつ、箱部３１の側板３１Ｓとスペーサ３２の平面部３２Ｓ、曲面部３２ＳＷおよび３２ＳＥとにより水平方向から挟まれた第１のバスレフポートである。このバスレフポートにおいて、平面部３２Ｓに面した空間が主管部内の空間であり、曲面部３２ＳＷおよび３２ＳＥに面した各空間が２個の空気整流器内の各空間である。この第１のバスレフポート内の空間は、開口３１５を介して接続空間部と連通する（図１３参照）。
【０１０２】
もう１つは、ポート天板３３と箱部３１の底板３１Ｂとにより上下方向から挟まれ、かつ、箱部３１の側板３１Ｎとスペーサ３２の平面部３２Ｎ、曲面部３２ＮＷおよび３２ＮＥとにより水平方向から挟まれた第２のバスレフポートである。このバスレフポートにおいて、平面部３２Ｎに面した空間が主管部内の空間であり、曲面部３２ＮＷおよび３２ＮＥに面した各空間が２個の空気整流器内の各空間である。この第２のバスレフポート内の空間は、開口３１６を介して接続空間部と連通する（図１３参照）。
【０１０３】
スピーカユニットＳＰは、マグネットＳＰ＿Ｍがポート天板３３の開口３３ａ、スペーサ３２の開口３２ａに収容された状態で、ポート天板３３によって支持される。
【０１０４】
バッフル板３４は、スピーカユニットＳＰの振動部ＳＰ＿Ｖが丁度収まる開口３４ａを有する長方形の板である。バッフル板３４は、スピーカユニットＳＰの振動部ＳＰ＿Ｖを開口３４ａから露出させた状態で、その４辺が箱部３１の側板３１Ｎ、３１Ｗ、３１Ｓおよび３１Ｅの各頂上面に固定される。
以上が本実施形態によるスピーカ装置１＿１１の構成および製造方法である。
【０１０５】
本実施形態においても上記第１０実施形態と同様な効果が得られる。また、本実施形態によるスピーカ装置１＿１１は、エンクロージャを構成する箱部３１やポート天板３３やスペーサ３２といった少ない点数の部品によって複雑な形状のバスレフポートを構成可能なため、製造コストが安価であり、かつ、特に木工においては穴は丸や角など加工し易い形状であり、指数関数に準じた曲面も角の面取り加工で済むため、製造が容易であるという利点がある。
【０１０６】
＜他の実施形態＞
以上、この発明の各実施形態について説明したが、この発明には他にも実施形態が考えられる。例えば次の通りである。
【０１０７】
（１）上記各実施形態では、主管部の中空断面形状を長方形としたが、主管部の中空断面形状を円形とし、空気整流器の中空断面形状を主管部側から開口端に向かうに従って円形から長方形に滑らかに変化させてもよい。
【０１０８】
（２）上記各実施形態では、空気整流器の中空断面形状を長方形としたが、一対の対向する壁部の間隔を同じにすれば、当該長方形の角部をＲ面取りした形状や、楕円形状、長円形状であってもよい。
【０１０９】
（３）上記各実施形態では、バスレフポートの主管部の両端に空気整流器を設置したが、いずれか一方にのみ空気整流器を設置してもよい。
【０１１０】
（４）上記各実施形態では、空気整流器の壁部間隔が変化する側の一対の壁部間の距離が指数関数に準じて変化する例を示したが、内壁部に角部が生じない形状であれば、長手方向に沿って壁部間隔が単調に増加（減少）する他の構造を用いても良い。
【０１１１】
（５）上記第１１実施形態では、丸型の開口３２ａを有するスペーサ３２を使用したが、図１５に示すように、バスレフポートの内壁となる周囲形状がスペーサ３２と同じであり、ほぼ均一の厚さの周辺部により囲まれたスペーサ３２’を使用してスピーカ装置を構成すれば、よりエンクロージャの内容積を有効に活用してスピーカシステムの性能を向上させることが可能である。
【符号の説明】
【０１１２】
１＿１〜１＿１１……スピーカ装置、１１……エンクロージャ、ＳＰ，ＳＰ＿Ａ，ＳＰ＿Ｂ……スピーカユニット、ＳＰ＿Ｖ……振動部、ＳＰ＿Ｍ……マグネット、１０，１０＿１，１０＿２，１０＿１ａ，１０＿２ａ，１０＿１ｃ，１０＿２ｃ……バスレフポート、１００……主管部、１０１，１０２……空気整流器、１８，１８＿１，１８＿２……バスレフポート用開口部、１８ａ，１８ｂ……両バスレフポート兼用開口部、１９，１９＿１，１９＿２，１１ｃ……接続空間部、１９ａ，１９ｂ，１９ｃ，１９ｄ……両バスレフポート兼用接続空間部、１２〜１７，１０Ａ〜１０Ｄ……壁部、３１……箱部、３２……スペーサ、３３……ポート天板、３４……バッフル板、３２Ｎ，３２Ｗ，３２Ｓ，３２Ｅ……平面部、３２ＮＷ，３２ＳＷ，３２ＳＥ，３２ＮＥ……曲面部、３１５，３１６，３２ａ，３３ａ，３４ａ……開口。
【図１】
0006665613.tif 000002
【図２】
0006665613.tif 000003
【図３】
0006665613.tif 000004
【図４】
0006665613.tif 000005
【図５】
0006665613.tif 000006
【図６】
0006665613.tif 000007
【図７】
0006665613.tif 000008
【図８】
0006665613.tif 000009
【図９】
0006665613.tif 000010
【図１０】
0006665613.tif 000011
【図１１】
0006665613.tif 000012
【図１２】
0006665613.tif 000013
【図１３】
0006665613.tif 000014
【図１４】
0006665613.tif 000015
【図１５】
0006665613.tif 000016